(57)【要約】【課題】ユーザは、その意図する都道府県名や省名等を選択するまでにスクロール操作を繰り返していたこと。【解決手段】複数の簡易名称１は、表示領域の縦方向ｙ及び横方向ｘに並んで表示されている。すなわち、複数の簡易名称１は、１画面内に同時に表示されている。簡易名称１は、検索キー候補２を１文字で表したものである。例えば、検索キー候補２ａは「北京市」であり、その簡易名称１ａは「京」である。また、検索キー候補２ｂは「山西省」であり、その簡易名称１ｂは「晋」である。これらの簡易名称は、中華人民共和国内で省名を簡易に表すものとして、車牌（ナンバープレート）に用いられている。【選択図】図１
2008216116.tif 000002
【特許請求の範囲】
【請求項１】
検索キー候補を表示する機能を有する検索装置であって、
表示装置に対して複数の簡易名称を同時に表示させる処理部を備え、
表示される簡易名称は、検索キー候補を１文字で表したものである、検索装置。
【請求項２】
前記処理部は、前記表示装置に対して複数の簡易名称を表示領域の縦方向及び横方向に並べて表示させることを特徴とする請求項１に記載の検索装置。
【請求項３】
前記処理部は、検索キー候補が地名である場合、前記表示装置に対して複数の簡易名称を地図に重ねて表示させることを特徴とする請求項１に記載の検索装置。
【請求項４】
前記処理部は、前記表示装置に対して、表示される簡易名称のうち入力装置で指定されたものに対応する検索キー候補を表示させることを特徴とする請求項１に記載の検索装置。
【請求項５】
表示される簡易名称は、検索キー候補を漢字１文字で表したものであることを特徴とする請求項１乃至請求項４の何れかに記載の検索装置。
【発明の詳細な説明】
【技術分野】
【０００１】
本発明は、検索装置に関するものであって、より詳しくは、検索機能を有する車載端末や携帯端末等に関するものである。
【背景技術】
【０００２】
背景技術として、都道府県名のリストを表示しこのリストから選択された都道府県名を受け付けるナビゲーション装置が知られている（例えば、特許文献１を参照）。
【特許文献１】特開２００３−３２９４５８号公報（図２）
【発明の開示】
【発明が解決しようとする課題】
【０００３】
背景技術において、全ての都道府県名は、同時に表示されない。例えば、「北海道」、「青森県」、「秋田県」、「岩手県」及び「宮城県」の５つが最初にリスト表示される。そして、「山形県」以降の名称は、スクロール操作によって表示される。そのため、ユーザは、その意図する都道府県名を選択するまでにスクロール操作を繰り返していた。つまり、選択操作が面倒であるという課題があった。
【課題を解決するための手段】
【０００４】
本発明に係る検索装置は、検索キー候補を表示する機能を有する検索装置であって、表示装置に対して複数の簡易名称を同時に表示させる処理部を備える。本発明における字句の解釈は、次のとおりである。
【０００５】
「検索キー候補」とは、情報を検索するために用いられうる属性値である。
【０００６】
「表示装置」とは、画像を出力する装置である。例えば、液晶ディスプレイやＣＲＴなどがある。
【０００７】
「簡易名称」とは、検索キー候補を１文字（好ましくは、漢字１文字）で表したものである。例えば、「検索キー候補」が「北海道」である場合、「北海道」の簡易名称は、「北」又は「海」となる。また、「検索キー候補」が「北京市」である場合、「北京市」の簡易名称は、「京」となる。ここで、「京」は、「北京市」の簡称として中華人民共和国のナンバープレートに表記されている。
【０００８】
「同時に表示」とは、一覧性をもつ表示を意味する。具体的には、複数の簡易名称を表示領域の縦方向及び横方向に並べて表示すること（例えば、ｍ行ｎ列の表形式）が挙げられる。また、検索キー候補が地名である場合、複数の簡易名称を地図に重ねて表示することが挙げられる。
【０００９】
「処理部」は、ハードウエア又はハードウエア及びソフトウエアとの協働によって情報処理を実現する部位である。
【００１０】
「処理部」は、好ましくは、前記処理部は、前記表示装置に対して、表示される簡易名称のうち入力装置で指定されたものに対応する検索キー候補を表示させる。例えば、「北海道」の簡易名称である「海」が表示されている場合、「海」が指定されると、「海」に対応する検索キー候補である「北海道」が表示される。
【００１１】
「入力装置」とは、簡易名称を指定できるものであれば足りる。例えば、リモートコントローラ、キーボードやタッチパネル等がある。
【発明の効果】
【００１２】
本発明は、検索キー候補を１文字で表した簡易名称を用いることで、検索キー候補の一覧性を高め、ユーザによるスクロール操作の回数を減らすことができるという効果を有する。
【発明を実施するための最良の形態】
【００１３】
本発明に係る検索装置を実施するための最良の形態は、図１乃至図５で示される。
【００１４】
＜表示例＞本実施の形態に係る表示例は、図１で示される。複数の簡易名称１は、表示領域の縦方向ｙ及び横方向ｘに並んで表示されている。すなわち、複数の簡易名称１は、１画面内に同時に表示されている。
【００１５】
簡易名称１は、検索キー候補２を１文字で表したものである（図２参照）。例えば、検索キー候補２ａは「北京市」であり、その簡易名称１ａは「京」である。また、検索キー候補２ｂは「山西省」であり、その簡易名称１ｂは「晋」である。これらの簡易名称は、中華人民共和国内で省名を簡易に表すものとして、車牌（ナンバープレート）に用いられている。
【００１６】
本実施の形態に係る表示例は、以下のハードウエア構成やデータ構造等よって実現される。
【００１７】
＜ハードウエア構成について＞本実施の形態に係る検索装置のハードウエア構成は、図３で示される。検索装置１０は、処理部１１を少なくとも備える。２次記憶装置１２、入力装置１３、スピーカ１４及び表示装置１５は、処理部１１に接続される。
【００１８】
処理部１１は、Ｉ／Ｏ、ＲＯＭ、ＲＡＭやＣＰＵ等のコンピュータの基本要素を備える。Ｉ／Ｏには、入力装置１３、スピーカ１４及び表示装置１５が接続される。ＲＯＭには、ＢＩＯＳ等の基本プログラムが記憶される。ＲＡＭには、ＲＯＭ及び２次記憶装置１２に記憶された各種プログラムが展開される。また、ＲＡＭには、入力装置１３からの入力値及びＣＰＵによる処理結果が記憶される。ＣＰＵは、ＲＡＭに展開された各プログラムを解釈し、各プログラムに対応する処理を実行する。
【００１９】
２次記憶装置１２は、簡易名称表示処理を含む各種検索機能を実現するためのプログラムを記憶する。また、２次記憶装置１２は、住所（データ）を記憶する。本実施の形態では、ハードディスクドライブ（いわゆるＨＤＤ）が、２次記憶装置１２として採用される。
【００２０】
入力装置１３は、表示領域内の座標を指定するための操作等に用いられる装置である。本実施の形態では、リモートコントローラやタッチパネル等が採用される。
【００２１】
＜データ構造について＞本実施の形態に係る住所データのデータ構造は、図４で示される。住所データでは、簡易名称１と検索キー候補２とが対応付けられている。また、検索キー候補と地名（例えば、省よりも小さな行政区域の名称）３０とが対応付けられている。つまり、住所は、簡易名称１又は検索キー候補２を主キーとして階層化されている。また、簡易名称１には、それぞれ、相対アドレス３１（ｋ＝０,・・・,３０）が付されている。
【００２２】
＜処理について＞本実施の形態に係る簡易名称表示処理は、次のとおりである。本処理は、ＣＰＵがＲＡＭに展開されたプログラムを解釈し実行することで実現される。また、処理時において、住所データは、２次記憶装置１２からＲＡＭに展開されている。
【００２３】
本処理では、簡易名称１の表示座標Ｐｋ（ｘｋ,ｙｋ）は、５行７列の表をなす各升目の中心座標である（図５を参照）。表示座標Ｐｋ（ｘｋ,ｙｋ）の順番は、第１行第１列を始点として、縦方向（ｙ方向）、横方向（ｘ方向）及び縦方向（ｙ方向）の順（Ｎ字型）で定められる。例えば、表示座標Ｐ１（ｘ１,ｙ１）は、第１行第１列に定められる。また、表示座標Ｐ５（ｘ１,ｙ５）は、第５行第１列に定められる。さらに、表示座標Ｐ３１（ｘ７,ｙ１）は、第７行第１列に定められる。
【００２４】
本処理に係る手続では、相対アドレス３１が「ｋ」である簡易名称１は、表示座標Ｐｋ（ｘｋ,ｙｋ）に対応付けられる。この手続は、「ｋ＝３１」になるまで繰り返される。この手続が全て終了すると、簡易名称１をＲＡＭのアドレス「ｋ＋ｊ」（絶対アドレス）から読み出して表示座標Ｐｋ（ｘｋ,ｙｋ）で表示する旨の命令が出力される。この命令によって、ＲＡＭのアドレス「ｋ＋ｊ」に記憶された簡易名称１は、表示座標Ｐｋ（ｘｋ,ｙｋ）で表示される。
【００２５】
＜本実施の形態における効果＞本実施の形態によれば、複数の簡易名称１が縦方向ｙ及び横方向ｘに並んで表示されるので、一覧性が高まり、ユーザによるスクロール操作の回数を減らすことができる。
【００２６】
＜変形例１＞本実施の形態では、簡易名称１は、縦方向ｙ及び横方向ｘに整列した状態で表示されている。もっとも、整列は不要である。例えば、簡易名称４１が地図４２に重ねて表示されてもよい（図６を参照）。この場合、簡易名称４１が地図４２上の正確な位置に表示されるために、簡易名称４１の表示座標は、予め２次記憶装置１２等に記憶される。本変形例によれば、簡易名称４１の表示スペースが小さくて済むので、地図上の各地名を見やすくすることができる。
【００２７】
＜変形例２＞本実施の形態では、検索キー候補２は、表示されない。もっとも、簡易名称５１が入力装置１３（例えば、タッチパネル）によって指定された場合（いわゆるアクティブ状態）、簡易名称５１に対応する検索キー候補５２が表示されてもよい（図７を参照）。例えば、簡易名称５１である「晋」が指定された場合、「晋」に対応する検索キー候補５２として、「山西省」がポップアップ表示される。当該表示例は、入力装置１３からの入力を割り込みとして、「晋」の表示座標Ｐ及び「山西省」が記憶されているＲＡＭのアドレスをポップアップ表示用ＡＰＩ（公知）に渡すことで実現可能である。本変形例によれば、簡易名称に慣れていないユーザに対しても、簡易名称に対応する検索キー候補を認識させることができる。
【産業上の利用可能性】
【００２８】
本発明は、検索キー候補の一覧性を高め、ユーザによるスクロール操作の回数を減らすことができるという効果を有し、検索機能を有する車載端末や携帯端末等に有用である。
【図面の簡単な説明】
【００２９】
【図１】本実施の形態に係る表示例を示す図
【図２】本実施の形態に係る簡易名称と検索キー候補との対応関係を示す図
【図３】本実施の形態に係る検索装置のハードウエア構成を示す図
【図４】本実施の形態に係る住所データのデータ構造を示す図
【図５】本実施の形態に係る表示座標の定義を示す図
【図６】変形例１に係る表示例を示す図
【図７】変形例２に係る表示例を示す図
【符号の説明】
【００３０】
１    簡易名称
２    検索キー候補
１０    検索装置
１１    処理部
１５    表示装置
【図１】
2008216116.tif 000003
【図２】
2008216116.tif 000004
【図３】
2008216116.tif 000005
【図４】
2008216116.tif 000006
【図５】
2008216116.tif 000007
【図７】
2008216116.tif 000008
【図６】
2008216116.tif 000009